(57)【要約】【課題】電力増幅回路を具備するスピーカーシステムにおける外部からの制御による自由な音声信号の出力制御ができるパワードスピーカーシステムを提供すること。【解決手段】外部から音源を入力し、プリ増幅部１０２で入力された信号の電圧増幅を行い、増幅部１０３で電圧増幅された信号を電力増幅し、スピーカー１０４で電圧増幅された信号を拡声するスピーカーシステムで、制御信号入力端子１０５から入力された制御信号を制御信号検出部１０６において検出し、電源制御部１０７でプリ増幅部１０２および増幅部１０３の電源のオンおよびオフを制御することにより、スピーカー１０４から出力される音声出力を外部から制御する。【選択図】　　　図１
2004104649.tif 000002
【特許請求の範囲】
【請求項１】
外部から音源を入力する音声信号入力端子と、
前記音声信号入力端子から入力された信号の電圧増幅を行うプリ増幅部と、
前記プリ増幅部で電圧増幅された信号を電力増幅する増幅部と、
前記増幅部で電力増幅された信号を拡声するスピーカーと、
前記プリ増幅部および前記増幅部の電源の制御を行うための制御信号を入力する制御信号入力端子と、
前記制御信号入力端子から入力された制御信号を検出する制御信号検出部と、前記制御信号検出部による制御信号検出に応じて前記プリ増幅部および増幅部の電源を制御する電源制御部とを備えたことを特徴とするスピーカーシステム。
【請求項２】
前記電源制御部は、監視カメラの動作信号が入力され、前記動作信号に応じて前記プリ増幅部および前記増幅部の電源を制御することを特徴とする請求項１に記載のスピーカーシステム。
【請求項３】
前記電源制御部は、人体センサーの動作信号が入力され、前記動作信号に応じて前記プリ増幅部および前記増幅部の電源を制御することを特徴とする請求項１または請求項２に記載のスピーカーシステム。
【発明の詳細な説明】
【０００１】
【発明の属する技術分野】
本発明は、音響機器におけるパワードスピーカーシステムに関するものである。
【０００２】
【従来の技術】
音響機器であるパワードスピーカーシステムは、電力増幅部を具備するスピーカーシステムであり、主に学校、会議室、商業施設等で使用される。
【０００３】
従来のスピーカーシステムとして、例えば、以下のものが知られている。このスピーカーシステムは、聴取位置に置かれたマイクで再生された音を収音し、収音した信号をそれぞれ異なった帯域をもつバンドパスフィルタで分割し、分割した信号をそれぞれ増幅した信号のレベルが同じになるように調整用アッテネータを制御することにより、複数のスピーカーの再生音圧レベルを簡易にかつ、迅速に調整するものである（例えば、特許文献１参照）。
【０００４】
また、パワードスピーカーシステムは、通常手動で電源のオンおよびオフを行い、増幅器で増幅された信号を拡声する。
【０００５】
ここで、従来のパワードスピーカーシステムを、図４に示す。図４に示すように、従来のパワードスピーカーシステムは、マイクやＢＧＭ放送等を行うための外部からの音源を入力する音声信号入力端子４０１、入力された信号の電圧増幅を行うプリ増幅部４０２、プリ増幅部４０２から入力された信号を電力増幅する増幅部４０３、増幅部４０３で電力増幅された音声を拡声するスピーカー４０４、プリ増幅部４０２および増幅部４０３の電源を手動で制御する手動電源制御部４０５から構成され、入力された音声を増幅して拡声する。この際、拡声動作および動作の停止は手動による手動電源制御部４０５での操作が必要である。
【０００６】
【特許文献１】
特開平０６−０７０３９２号公報
【０００７】
【発明が解決しようとする課題】
しかしながら、このような従来のパワードスピーカーシステムでは、手動による電源制御を行わなければならないために、遠隔操作による拡声動作の制御を自由に行うことができないという問題があった。
【０００８】
本発明はこのような問題を解決するためになされたもので、外部からの制御による自由な音声信号の出力制御ができるパワードスピーカーシステムを提供するものである。
【０００９】
【課題を解決するための手段】
本発明のスピーカーシステムは、外部から音源を入力する音声信号入力端子と、前記音声信号入力端子から入力された信号の電圧増幅を行うプリ増幅部と、前記プリ増幅部で電圧増幅された信号を電力増幅する増幅部と、前記増幅部で電力増幅された信号を拡声するスピーカーと、前記プリ増幅部および前記増幅部の電源の制御を行うための制御信号を入力する制御信号入力端子と、前記制御信号入力端子から入力された制御信号を検出する制御信号検出部と、前記制御信号検出部による制御信号検出に応じて前記プリ増幅部および増幅部の電源を制御する電源制御部とを備えたことを特徴とした構成を有している。
【００１０】
この構成により、制御信号入力端子から制御信号を入力すると、制御信号検出部で入力された制御信号が検出され、制御信号検出部の制御信号検出に応じて、電源制御部がプリ増幅部および増幅部の電源を制御する。これにより、音声信号入力端子から入力された外部からの音源が、プリ増幅部により電圧増幅され、増幅部により電力増幅され、スピーカーから拡声される。したがって、制御信号入力端子から制御信号を入力することにより、拡声動作を制御することができるので、遠隔操作によりスピーカーシステムの拡声動作を制御することができることとなる。
【００１１】
また、本発明のスピーカーシステムは、前記電源制御部は、監視カメラの動作信号が入力され、前記動作信号に応じて前記プリ増幅部および前記増幅部の電源を制御することを特徴とした構成を有している。
【００１２】
この構成により、監視カメラが動作すると、監視カメラの動作信号が、電源制御部に送られ、電源制御部は、監視カメラから入力された動作信号により、プリ増幅部および増幅部の電源を制御する。これにより、音声信号入力端子から入力された外部からの音源が、プリ増幅部により電圧増幅され、増幅部により電力増幅され、スピーカーから拡声される。したがって、監視カメラの動作に応じて、拡声動作を制御することができるので、監視カメラの動作に同期してスピーカーシステムの拡声動作や動作の停止を自動的に行うことができることとなる。
【００１３】
さらに、本発明のスピーカーシステムは、前記電源制御部は、人体センサーの動作信号が入力され、前記動作信号に応じて前記プリ増幅部および前記増幅部の電源を制御することを特徴とした構成を有している。
【００１４】
この構成により、人体センサーが動作すると、人体センサーの動作信号が、電源制御部に送られ、電源制御部は、人体センサーから入力された動作信号により、プリ増幅部および増幅部の電源を制御する。これにより、音声信号入力端子から入力された外部からの音源が、プリ増幅部により電圧増幅され、増幅部により電力増幅され、スピーカーから拡声される。したがって、人体センサーの動作に応じて、拡声動作を制御することができるので、人体センサーによる人の検出に対応してパワードスピーカーシステムの拡声動作や動作の停止を自動的に行うことができることとなる。
【００１５】
【発明の実施の形態】
以下、本発明の実施の形態について、図面を用いて説明する。
（第１の実施の形態）
【００１６】
まず、本発明の第１の実施の形態のパワードスピーカーシステムの構成図を、図１に示す。
【００１７】
図１に示すように、本発明の第１の実施の形態のパワードスピーカーシステムは、マイクやＢＧＭ放送等を行うための外部からの音源を入力する音声信号入力端子１０１、音声信号入力端子１０１に入力された信号の電圧増幅を行うプリ増幅部１０２、プリ増幅部１０２に電圧増幅された信号を電力増幅する増幅部１０３、増幅部１０３で電力増幅された音声を拡声するスピーカー１０４、電源のオンおよびオフを制御するための制御信号を入力する制御信号入力端子１０５、制御信号入力端子１０５から入力された制御信号を検出する制御信号検出部１０６、制御信号検出部１０６での制御信号検出に応じてプリ増幅部１０２および増幅部１０３の電源を制御する電源制御部１０７を備えている。
【００１８】
次に、本実施の形態に係るパワードスピーカーシステムの動作について説明する。
【００１９】
本パワードスピーカーシステムにおいて、制御信号入力端子１０５から制御信号を入力すると、制御信号検出部１０６で入力された制御信号が検出される。制御信号検出部１０６で制御信号が検出されると、電源制御部１０７がプリ増幅部１０２および増幅部１０３の電源を制御する。
【００２０】
ここで、制御信号によりプリ増幅部１０２および増幅部１０３が電源オン状態に制御された場合には、音声信号入力端子１０１から入力された外部からの音源が、プリ増幅部１０２により信号の電圧増幅が行われ、増幅部１０３によりプリ増幅部１０２で電圧増幅された信号が電力増幅される。そして、増幅部１０３で電力増幅された音声は、スピーカー１０４から拡声される。プリ増幅部１０２および増幅部１０３が電源オフ状態に制御された場合には、スピーカー１０４から拡声はされない。
【００２１】
以上説明したように、本実施の形態のパワードスピーカーシステムによれば、制御信号入力端子から入力させた制御信号により、拡声動作を制御することができるので、遠隔操作によりパワードスピーカーシステムの拡声動作を制御することができる。
（第２の実施の形態）
【００２２】
次に、本発明の第２の実施の形態のパワードスピーカーシステムの構成図を、図２に示す。
【００２３】
図２に示すように、本発明の第２の実施の形態のパワードスピーカーシステムは、マイクやＢＧＭ放送等を行うための外部からの音源を入力する音声信号入力端子２０１、音声信号入力端子２０１に入力された信号の電圧増幅を行うプリ増幅部２０２、プリ増幅部２０２に電圧増幅された信号を電力増幅する増幅部２０３、増幅部２０３で電力増幅された音声を拡声するスピーカー２０４、監視カメラ２０５、監視カメラ２０５の動作に同期してプリ増幅部２０２および増幅部２０３の電源を制御する電源制御部２０６を備えている。
【００２４】
なお、本実施の形態のパワードスピーカーシステムは、図１に示す第１の実施の形態に対応するパワードスピーカーシステムと同様の基本的構成を有し、本実施の形態のパワードスピーカーシステムにおける音声信号入力端子２０１、プリ増幅部２０２、増幅部２０３、スピーカー２０４は、第１の実施の形態のパワードスピーカーシステムにおける音声信号入力端子１０１、プリ増幅部１０２、増幅部１０３、スピーカー１０４と同様のものである。
【００２５】
また、本実施の形態の特徴は、図１に示す第１の実施の形態に対応するパワードスピーカーシステムに対して、監視カメラ２０５を有することにある。その他の構成は、第１の実施の形態に対応するパワードスピーカーシステムと同様の構成である。
【００２６】
次に、本実施の形態に係るパワードスピーカーシステムの動作について説明する。
【００２７】
本パワードスピーカーシステムにおいて、監視カメラ２０５が動作すると、監視カメラ２０５の動作信号が、電源制御部２０６に送られる。電源制御部２０６は、監視カメラ２０５から動作信号が入力されると、プリ増幅部２０２および増幅部２０３の電源を制御する。
【００２８】
ここで、監視カメラ２０５の動作信号によりプリ増幅部２０２および増幅部２０３が電源オン状態に制御された場合には、音声信号入力端子２０１から入力された外部からの音源が、プリ増幅部２０２により信号の電圧増幅が行われ、増幅部２０３によりプリ増幅部１０２で電圧増幅された信号が電力増幅される。そして、増幅部２０３で電力増幅された音声は、スピーカー２０４から拡声される。プリ増幅部２０２および増幅部２０３が電源オフ状態に制御された場合には、スピーカー２０４から拡声はされない。
【００２９】
以上説明したように、本実施の形態のパワードスピーカーシステムによれば、監視カメラの動作に応じて、拡声動作を制御することができるので、監視カメラの動作に同期してパワードスピーカーシステムの拡声動作や動作の停止を自動的に行うことができる。
（第３の実施の形態）
【００３０】
次に、本発明の第３の実施の形態のパワードスピーカーシステムの構成図を、図３に示す。
【００３１】
図３に示すように、本発明の第３の実施の形態のパワードスピーカーシステムは、マイクやＢＧＭ放送等を行うための外部からの音源を入力する音声信号入力端子３０１、音声信号入力端子３０１に入力された信号の電圧増幅を行うプリ増幅部３０２、プリ増幅部３０２に電圧増幅された信号を電力増幅する増幅部３０３、増幅部３０３で電力増幅された音声を拡声するスピーカー３０４、人体センサー３０５、人体センサー３０５の動作に同期してプリ増幅部３０２および増幅部３０３の電源を制御する電源制御部３０６を備えている。
【００３２】
なお、本実施の形態のパワードスピーカーシステムは、図２に示す第２の実施の形態に対応するパワードスピーカーシステムと同様の基本的構成を有し、本実施の形態のパワードスピーカーシステムにおける音声信号入力端子３０１、プリ増幅部３０２、増幅部３０３、スピーカー３０４は、第２の実施の形態のパワードスピーカーシステムにおける音声信号入力端子２０１、プリ増幅部２０２、増幅部２０３、スピーカー２０４と同様のものである。
【００３３】
また、本実施の形態の特徴は、図２に示す第２の実施の形態に対応するパワードスピーカーシステムに対して、人体センサー３０５を有することにある。その他の構成は、第２の実施の形態に対応するパワードスピーカーシステムと同様の構成である。
【００３４】
次に、本実施の形態に係るパワードスピーカーシステムの動作について説明する。
【００３５】
本パワードスピーカーシステムにおいて、人体センサー３０５が動作すると、人体センサー３０５の動作信号が、電源制御部３０６に送られる。電源制御部３０６は、人体センサー３０５から動作信号が入力されると、プリ増幅部３０２および増幅部３０３の電源を制御する。
【００３６】
ここで、人体センサー３０５の動作信号によりプリ増幅部３０２および増幅部３０３が電源オン状態に制御された場合には、音声信号入力端子３０１から入力された外部からの音源が、プリ増幅部３０２により信号の電圧増幅が行われ、増幅部３０３によりプリ増幅部１０２で電圧増幅された信号が電力増幅される。そして、増幅部３０３で電力増幅された音声は、スピーカー３０４から拡声される。プリ増幅部３０２および増幅部３０３が電源オフ状態に制御された場合には、スピーカー３０４から拡声はされない。
【００３７】
以上説明したように、本実施の形態のパワードスピーカーシステムによれば、人体センサーの動作に応じて、拡声動作を制御することができるので、人体センサーによる人の検出に対応してパワードスピーカーシステムの拡声動作や動作の停止を自動的に行うことができる。
【００３８】
【発明の効果】
以上説明したように、本発明のスピーカーシステムは、制御信号入力端子から制御信号を入力すると、制御信号検出部で入力された制御信号が検出され、制御信号検出部の制御信号検出に応じて、電源制御部がプリ増幅部および増幅部の電源を制御する。これにより、音声信号入力端子から入力された外部からの音源が、プリ増幅部により電圧増幅され、増幅部により電力増幅され、スピーカーから拡声される。したがって、制御信号入力端子から制御信号を入力することにより、拡声動作を制御することができるので、遠隔操作によりスピーカーシステムの拡声動作を制御することができるというすぐれた効果を有するスピーカーシステムを提供することができるものである。
【図面の簡単な説明】
【図１】本発明の第１の実施の形態のパワードスピーカーシステムにおける構成を示すブロック図
【図２】本発明の第２の実施の形態のパワードスピーカーシステムにおける構成を示すブロック図
【図３】本発明の第３の実施の形態のパワードスピーカーシステムにおける構成を示すブロック図
【図４】従来のパワードスピーカーシステムにおける構成を示すブロック図
【符号の説明】
１０１　音声信号入力端子
１０２　プリ増幅部
１０３　増幅部
１０４　スピーカー
１０５　制御信号入力端子
１０６　制御信号検出部
１０７　電源制御部
２０１　音声信号入力端子
２０２　プリ増幅部
２０３　増幅部
２０４　スピーカー
２０５　監視カメラ
２０６　電源制御部
３０１　音声信号入力端子
３０２　プリ増幅部
３０３　増幅部
３０４　スピーカー
３０５　人体センサー
３０６　電源制御部
４０１　音声信号入力端子
４０２　プリ増幅部
４０３　増幅部
４０４　スピーカー
４０５　手動電源制御部
【図１】
2004104649.tif 000003
【図２】
2004104649.tif 000004
【図３】
2004104649.tif 000005
【図４】
2004104649.tif 000006